(57)【要約】  本発明は、スプール基部３と、両端フランジ４，５と、を含むスプール本体２を備え、放出方向を向いている後端フランジ４は、半径方向外向きのスプール縁部６を備え、該スプール縁部６を介して、スプール軸ａと直交する円周巻き方向ｓに巻き取り可能な釣り糸を、スプール軸ａにほぼ平行な放出方向ｚに放出する、釣り用リールの遠投スプール１に関する。巻き戻し時の釣り糸とスプール縁部６との間の摩擦抵抗を低減するため、その円周上に等間隔に配置された複数の保持フィン７を有するスプール縁部６と、スプール本体２に取り外せないように設けられている保持フィン７の基端部８と、巻き取り方向ｓの反対方向に斜めに伸びている保持フィン７の自由端部と、半径方向外向きの長手面をフィン縁部９として有する保持フィン７と、が提案されている。【選択図】図２
2008518589.tif 000002
【特許請求の範囲】
【請求項１】
スプール基部（３）と、両端フランジ（４，５）と、を含むスプール本体（２）を備え、放出方向を向いている端フランジ（４）は、半径方向外向きのスプール縁部（６）を備え、該スプール縁部（６）を介して、スプール軸（ａ）と直交する円周巻き方向（ｓ）に巻き取り可能な釣り糸をスプール軸にほぼ平行な放出方向（ｚ）に放出する遠投スプールにおいて、
前記スプール縁部（６）は、その円周上に等間隔に配置された複数の保持フィン（７）を有し、
前記各保持フィン（７）の基端部（８）が、スプール本体（２）に取り外せないように設けられており、
前記保持フィン（７）の自由端部が、巻き方向（ｓ）の反対方向に斜めに伸びており、
前記保持フィン（７）が、半径方向外向きの長手面をフィン縁部（９）として有していることを特徴とする釣り用リールの遠投スプール。
【請求項２】
請求項１に記載の遠投スプールにおいて、前記保持フィン（７）は、遠投スプール上に巻き取り可能な釣り糸の放出方向（ｚ）に斜めの放出アーチ（１０）を備えることを特徴とする遠投スプール。
【請求項３】
請求項１又は２に記載の遠投スプールにおいて、少なくとも四の保持フィン（７）が設けられていることを特徴とする遠投スプール。
【請求項４】
請求項１〜３のいずれかに記載の遠投スプールにおいて、少なくとも九の保持フィン（７）が設けられていることを特徴とする遠投スプール。
【請求項５】
請求項１〜４のいずれかに記載の遠投スプールにおいて、前記保持フィン（７）は、前記スプール本体（２）から、９０度よりも小さいフィン角度（μ）で伸びており、
前記フィン角度（μ）は、前記各保持フィン（７）の前記基端部（８）のところで、円周接線と前記フィン縁部（９）の斜面とのなす角度であることを特徴とする遠投スプール。
【請求項６】
請求項５記載の遠投スプールにおいて、前記フィン角度（μ）は、３０°〜６０°であることを特徴とする遠投スプール。
【請求項７】
請求項５又は６に記載の遠投スプールにおいて、前記フィン角度（μ）は、４０°〜５０°であることを特徴とする遠投スプール。
【請求項８】
請求項５〜７のいずれかに記載の遠投スプールにおいて、前記フィン角度（μ）は、約４５度であることを特徴とする遠投スプール。
【請求項９】
請求項１〜８のいずれかに記載の遠投スプールにおいて、前記フィン縁部（９）は連続的にカーブした輪郭を有し、その曲率半径の少なくとも一方向成分が、前記スプール基部（２）を向いていることを特徴とする遠投スプール。
【請求項１０】
請求項１〜９のいずれかに記載の遠投スプールにおいて、前記保持フィン（７）はそれぞれ三角形を示し、その先端部（１１）がフィンの自由端部を形成し、該先端部（１１）の反対側が前記遠投スプール（１）に取り外せないように設けられていることを特徴とする遠投スプール。
【請求項１１】
請求項１０記載の遠投スプールにおいて、前記保持フィン（７）は、それぞれ鎌状の先端部（１１）をもつ三角形として設計されていることを特徴とする遠投スプール。
【請求項１２】
請求項１〜１１のいずれかに記載の遠投スプールにおいて、前記フィン縁部（９）は、巻き取り可能な釣り糸の放出方向に研削されていることを特徴とする遠投スプール。
【請求項１３】
請求項１〜１２のいずれかに記載の遠投スプールにおいて、前記スプール基部（３）の径は、前記保持フィン（７）をもつ前記後端フランジ（４）に向けて小さくなることを特徴とする遠投スプール。
【請求項１４】
請求項１〜１３のいずれかに記載の遠投スプールにおいて、前記保持フィン（７）は、前記後端フランジ（４）に着脱自在に設けられていることを特徴とする遠投スプール。
【請求項１５】
請求項１〜１４のいずれかに記載の遠投スプールにおいて、前記後端フランジ（４）は、前記遠投スプール（１）に着脱自在に設けられていることを特徴とする遠投スプール。
【請求項１６】
請求項１〜１３のいずれかに記載の遠投スプールにおいて、前記遠投スプール（１）は、単体で作られていることを特徴とする遠投スプール。
【請求項１７】
請求項１〜１６のいずれかに記載の遠投スプールにおいて、少なくとも前記保持フィン（７）は、摩擦低減素材で作られている、又は摩擦低減素材でコーティングされていることを特徴とする遠投スプール。
【発明の詳細な説明】
【技術分野】
【０００１】
本発明は、スプール基部と、両端フランジと、を含むスプール本体を備え、放出方向を向いている後端フランジは、半径方向外向きのスプール縁部を備え、該スプール縁部を介して、スプール軸と直交する円周巻き方向に巻き取り可能な釣り糸をスプール軸にほぼ平行な放出方向に放出する、釣り用リールの遠投スプールに関する。
【背景技術】
【０００２】
冒頭に記載された遠投スプールは、遠投スプール上にある釣り糸の自由端につけられた釣り餌を遠点に落とすことを可能にする。遠投スプールは通常、その回転軸が、釣竿の長手軸に対して直交するように、釣り用リールに設けられている。このため、円周巻き方向は、遠投スプールの回転軸に直交し、又は釣竿の長手軸に直交することとなる。巻き取り時、釣り糸は、偏向装置を介して、回転軸にほぼ平行な放出方向から、回転軸にほぼ直交な巻き方向に向きが変えられる。遠投時、釣り糸の自由端につけられたオモリ、釣り餌等でもって、できるだけ長距離を実現するため、偏向装置は通常、釣り糸が遠投スプールから巻き戻され、偏向装置を用いることなくフランジを直接介して又はスプール縁部を介して放出方向に放出するように、スウィングする。釣り糸は、フランジを介して、巻き戻され、放出されるので、後端フランジは、釣り糸のからまりの原因となる、制御されておらずに数巻の釣り糸がまとまってスプールから出るのを防ぐため、巻き取られた釣り糸の横方向保持として非常に重要な意味をもつ。
【特許文献１】独国特許出願公開第３２１１１４５号明細書（DE 3 211 145 A1）
【発明の開示】
【発明が解決しようとする課題】
【０００３】
釣り餌のキャスティング可能な距離は、後端フランジ又はスプール縁部と釣り糸との間の摩擦状態の影響を受ける。摩擦損失を低減するため、スプール縁部をもつ後端フランジは、新しい遠投スプールほど径が小さく設計されている。それにもかかわらず、釣り糸の容量のキャパシティを確保するため、スプール基部が縦方向に拡大される。しかしながら、これでは、主要問題、つまりスプール縁部上の摩擦抵抗の問題を解決することができない。釣り糸が遠投スプールから放出されるほど、現在の釣り糸巻取面とスプール縁部との間の距離が大きくなる。キャスティング直後の、遠投スプールが一杯の時、摩擦抵抗は最小となる。遠投スプール上に残っている釣り糸の量が減ると、スプール縁部での摩擦が増大し、釣り糸に強いブレーキをかける。
【０００４】
摩擦を低減するため、特許文献１では、遠投スプール上の釣り糸が、半径方向において互いに逆向きの二のセグメントによって横方向に保持されており、該セグメントの一端部を遠投スプール上のバネにピボット式に設けている。その目的は、釣り糸の量が減少すると、遠投スプール上にある釣り糸の現在の量の半径面からセグメントへの半径距離が、常に小さいままとなるように、巻き戻し時の糸がバネの弾性力に逆らってセグメントを半径方向内側に押し付けることにある。特許文献１によれば、摩擦抵抗を実質的に小さくすることにより、糸にブレーキがかけられるのをさらに低減することが考えられる。しかしながら、セグメントのところで巻き取られる釣り糸は、セグメント間でピンと張られるため、巻き取られる釣り糸の形状が少なくともこのところで崩れる。これは、前記釣り糸のからまりにつながる不正確な放出に至らなくても、巻き戻し時には少なくとも抵抗を増大させてしまう可能性がある。
【０００５】
したがって、本発明の目的は、巻き戻し時の釣り糸とスプール縁部との間の摩擦抵抗を低減することのできる、冒頭に記載された遠投スプールを提供することにある。
【課題を解決するための手段】
【０００６】
本発明によれば、前記目的を達成するために、スプール縁部がその円周上に等間隔に配置された複数の保持フィンをもち、各保持フィンの基端部がスプール本体に取り外せないように設けられ、各保持フィンの自由端が放出方向の反対方向に斜めに伸びており、保持フィンが半径方向外向きの長手面をフィン縁部としてもつ。
【０００７】
この結果、巻き戻し時の釣り糸は、フィン縁部のところで唯一摩擦を受ける。これに関連して、特にフィン自由端のところにおいて、摩擦抵抗が実質的に低くなり、釣り糸は、これに対応して、より少ないところにおいてブレーキがかけられる。この結果、本発明にかかる遠投スプールは、より重い投げオモリを用いることなく、より遠い及びより正確な飛距離を実現することができる。
【０００８】
保持フィンは、巻き取り可能な釣り糸の方向に斜めの放出アーチを備える。この放出アーチは、より滑らかで変化がないため、保持フィン上での釣り糸の、より摩擦のない滑りを実現することができる。
【０００９】
これに関連して、放出アーチは、連続形状、すなわち、段差や肩等のない形状を有することが好ましい。摩擦を低減するため、少なくとも釣り糸の放出に用いられる走行面として設けられた放出アーチの表面を研磨しておくことが好ましい。
【００１０】
遠投スプールの開発においては、少なくとも四の保持フィンが設けられる。保持フィンの数が少なすぎると、保持フィン間の距離が大きくなりすぎるおそれがある。この結果、釣り糸は、保持フィン間で非常に強くピンと張られ、巻き取りが不正確となる。
【００１１】
少なくとも九の保持フィンを設けることが好ましい。これに関連して、遠投スプール上に巻き取られた釣り糸を保持し、放出時に釣り糸にかかる摩擦抵抗をできる限り少なくするという保持フィンの機能に関しては、九の保持フィンでもって、特定の最適化がなされることがわかった。例えばスプール基部の径を小さくすれば、保持フィンを四よりも少ない数でもって最適化することができること、又はスプール基部の径を大きくすれば、保持フィンを九よりも多い数でもって最適化することができることは言うまでもない。
【００１２】
本実施形態にかかる遠投スプールでは、保持フィンが、巻き取り可能な釣り糸の巻き方向の反対方向に斜めに９０°よりも小さいフィン角度で伸びることが好ましい。この角度は、各保持フィンの基端部のところで、円周接線とフィン縁部の斜面又は基端部での保持フィンの縦軸とのなす角度である。フィン角度は、３０°〜６０°が好ましく、４０°〜５０°がより好ましく、特に４５°が好ましい。釣り糸の放出操作は、フィン角度の影響を受ける。フィン角度が９０°以上の場合は、釣り糸が引っ掛かるおそれがある。それよりもフィン角度が小さくなると、遠投スプールからの釣り糸の放出を、より容易に行うことができる。フィン角度が小さくなりすぎると、有利な大容量スプールとするため、フィン長をこれに対応させて増大することが必要となる。これは、結果として不利な摩擦を増大することになる。この結果、約４５°という中央値をもつフィン角度が、最適であると考えられる。しかしながら、これは、釣り糸とスプール縁部又はフィン縁部との間の異なる摩擦条件で、異なる値の角度が最適であるとすることのできないことを示すものでない。
【００１３】
開発において、保持フィンの基部の巻き方向における少なくとも背面、つまり遠投スプールからフィン縁部へ移行するところで、保持フィンが、肩や段差やエッジ等のない連続的にカーブした形状をもつ移行を示す。これは、例えば遠投スプールから離れる方向を指す曲率半径を有する曲面の形態で、又は半径方向外向きに凹の曲面の形態で得られる。この移行の結果、保持フィンは、基部のところで円周接線と保持フィンの縦軸の斜面とのなす角度が零となることなく、基部のところで円周接線とフィン縁部の斜面とのなすフィン角度が零となるように、後端フランジから接線方向に設けられている。
【００１４】
フィン縁部は、その縦方向への伸長に関して連続的な曲面形状を有し、少なくとも曲率半径の一方向成分が、スプール基部の方角を指すことが好ましい。したがって、フィン縁部は、半径方向外向きに凸の曲面をもつ。言い換えると、これは、一定斜面をもつストレート形状に比較し、摩擦を低減することを可能にする。
【００１５】
フィンの自由端は、スプール基部を越えて最も外方へ放射状に突出させることが好ましい。これは、フィン基部の下面が返し等のように作用して正確な放出の妨げとなるのを防ぐ。しかしながら、これに関連して、後端フランジの保持フィンは、スプール基部を越えて、遠投スプールの放出方向の前端フランジまで、放射状に突出させることが好ましい。
【００１６】
保持フィンは、いずれも、三角形を示し、その一端がフィン自由端を形成し、他端が遠投スプールに取り外せないように設けられている。この結果、保持フィンは、その基部のところで断面が最大となり、力のモーメントが最大となることが予測され、その先端のところで断面が最小となり、力のモーメントが最小となることが予測される。これは、その形状が、力のモーメントの予測プロファイルに、ほぼ合わされることを意味する。
【００１７】
遠投スプールの開発において、保持フィンは、いずれも、保持フィンの自由端を形成する、鎌形先端をもつ三角形として設計される。これは、サメの背びれの形状に似た形状をもたらし、フィン縁部の反対にあるフィン自由端側が、フィン縁部の形状に類似のカーブした輪郭を示す。これは、さらに、保持フィンの必要強度に関するフィン形状の最適化と、フィン縁部と釣り糸との間の摩擦状況の最小化とを実現する。すなわち、ストレート面をもつ三角形に比較し、巻き取り可能な釣り糸が接触する保持フィンの側面が、基部のところにおいて減少されるからである。この結果、摩擦面が減少されるので、このエリアで起こり得る摩擦力が減少される。一方、自由端は、その強度を決定する断面が十分に大きい。更なる開発において、前述のように、移行がさらに、スプール本体から現れる保持フィンの輪郭において、スプール本体に対して凹の輪郭線の形でなされ、また凸のフィン縁部の輪郭に連続的に移行すると、フィン縁部の略Ｓ字の輪郭となる。これに関連して、輪郭線の他端は、連続的にカーブした輪郭で、フィン縁部の外方を向いている隣りの保持フィンのフィン縁部の側部に移行することが好ましい。
【００１８】
フィン縁部は、巻き取り可能な釣り糸の放出方向に研削されることが好ましい。これに関連して、研削は、ナイフの片側研削と同様の方法で行われるが、断面がカーブした研削面をもつことが好ましい。また、丸みを帯びた先端が好ましい。さらに、損傷の潜在的リスクを低減するため、丸みを帯びたエッジが、丸みを帯びた研削輪郭と保持フィンの非研削面との間で、わずかに丸みを帯びることが好ましい。このような保持フィンとフィン縁部の更なる最適化は、釣り糸とフィン縁部との間の摩擦をさらに低減する。
【００１９】
スプール基部の径は、保持フィンをもつ端フランジに向けて減少し、これに関連して直線的に減少にすることが好ましい。この結果、円周傾斜面となり、該円周傾斜面上で巻き取り可能な釣り糸は、保持フィンを力成分でもって押す。これは、釣り糸の正確な巻きと巻き戻しとを容易にする。
【００２０】
保持フィンは、後端フランジに着脱自在に取り付けることができる。これにより、保持フィンを個々に又は全体として交換することができる。例えば後端フランジ上の保持フィンを所望の個数に変更したり、異なる形状又は素材構造の保持フィンを取り付けたり、損傷した保持フィンを交換したりすることができる。これに関連して、保持フィンは、後端フランジに、ねじ込んで取り付けられる。
【００２１】
後端フランジは、遠投スプールに着脱自在に設けることができる。これに関連して、後端フランジは、遠投スプールに着脱自在に設けられる別体部品として作ることができる。この結果、例えば、後端フランジを、異なる個数の保持フィンをもつフランジに交換することができる。後端フランジを、異なる形状の保持フィンをもつフランジに交換することができる。後端フランジを、特に耐磨耗性及び／又は低摩擦性のある素材で作られた保持フィンをもつフランジに交換することもできる。後端フランジに損傷が生じた場合、同様のフランジに交換することもできる。釣り糸とフランジとの間の摩擦損失をできるだけ小さくする素材としては、例えばテフロン（登録商標）が考えられる。後端フランジの交換を実現するため、後端フランジは、遠投スプールの側面端部上をスライドし、所定の位置に固定される円盤のように設計することができる。特に遠投スプールは、従来の三の部品設計とすることができる。三の部品設計は、後端フランジと、前端フランジをもつスプール基部と、スプール基部の側面端部に後端フランジを横方向に圧入及び／又は取り付ける締結装置と、を備える。
【００２２】
他の実施形態において、遠投スプールは、単体で作ることができる。この結果、製造コストを削減することができる。このために軽量素材であるアルミを用いることが好ましい。また、遠投スプールを低コストで製造する方法としては、アルミ鋳造法が好ましい。摩擦をさらに低減するため、フィン縁部の少なくとも表面を研磨しておくことが好ましい。
【００２３】
さらに、保持フィンは、摩擦低減素材でつくられ、又は摩擦低減素材でコーティングされている。素材としては、例えば少なくともフィン縁部上が滑らかに研磨された陽極酸化アルミを用いることができる。摩擦低減コーティング材としては、例えばテフロン（登録商標）が考えられる。
【発明を実施するための最良の形態】
【００２４】
以下、図面に基づき、本発明の二の実施形態について、より詳細に説明する。
【００２５】
図１及び図２にはそれぞれ、釣り用リールの遠投スプールの第一実施形態の端面図、及び側面図が示されている。遠投スプール１は、スプール基部３と、両端のフランジ４，５と、を含むスプール本体２を備える。釣り糸の放出方向ｚを向いている後端フランジ４、及び釣り糸の放出方向ｚを向いている前端フランジ５が、図示省略されている。後端フランジ４は、半径方向外向きのスプール縁部６を備える。
【００２６】
釣り糸（図示省略）は、遠投スプール１上に、スプール軸ａと直交する円周巻き方向ｓに巻き取りられる。また、遠投スプール１は、取付位置で、スプール軸ａが釣竿（図示省略）の縦軸にほぼ平行となり、釣り糸の巻き取り時に、釣り糸が偏向装置（図示省略）を介して、釣り竿の縦軸方向の放出方向ｚから、放出方向ｚとほぼ直交する巻き方向ｓに偏向される。
【００２７】
ところで、釣り糸の自由端につけられた釣り餌等の遠投スプールによる遠投中、摩擦損失を防ぐため、釣り糸（図示省略）が、偏向装置で偏向されることなく直接、半径方向外向きのスプール縁部６を介して、スプール軸ａにほぼ平行な放出方向ｚに放出されるように、本実施形態を構成している。フランジ４を介して釣り糸の正確な放出を確実に行うため、後端フランジ４は、保持及びガイドの装置として必要である。後端フランジ４上での摩擦損失は、飛距離の向上を実現するため、できるだけ小さくする必要がある。
【００２８】
遠投における放出操作中に、釣り糸（図示省略）とスプール縁部６との間の摩擦を低減するため、円周上に等間隔に配置された九の保持フィン７をもつスプール縁部６を設けている。保持フィン７は、基端部８がそれぞれ遠投スプール１に取り外せないように設けられ、自由端がそれぞれ円周巻き方向ｓの反対方向に斜めに伸びている。各保持フィン７の半径方向外向きの長手面は、遠投時に、フィン縁部９を介して釣り糸（図示省略）を放出するフィン縁部９として用いられる。これに関連して、釣り糸の放出時、釣り糸は、フィン縁部９から唯一摩擦を受ける。この摩擦は、遠投スプール１上での釣り糸の残量とは別の事による摩擦であり、フィンの自由端面のところのみにおけるものである。これにより、摩擦は全体として低減される。また、釣り糸には、摩擦低減による少ない伸びでブレーキがかけられる。この結果、本発明にかかる遠投スプール１は、同じ投げオモリを用いて、従来の遠投スプールに比較し、より遠い及び正確な投げ距離を実現することができる。
【００２９】
フィン縁部９をもつ後端フランジ４は、放出アーチ１０を備える。放出アーチ１０は、保持フィン７に移行し、放出方向ｚに斜めに伸びる。また、放出アーチ１０を介して、巻き戻し時の釣り糸は、なだらかな摩擦低減曲面上で放出方向ｚに偏向され、支持される。本実施形態にかかる遠投スプール１においては、放出アーチ１が、実質的な円弧として設計されているが、この円弧形状に代えて、円弧形状とは異なる連続形状、例えば放物線や楕円の弧状等のように段差や肩のない形状とすることもできる。
【００３０】
九の保持フィン７は、円周上に均等に分布している。例えば九の保持フィン７は、遠投スプール１の断面において、円弧上に角度４０°（図示省略）の等間隔で配置される。これに関連して、同図に示した保持フィン７の個数は、保持フィン７上での釣り糸の摩擦に関して、また、保持フィン７の保持機能に関して、一定の幾何学的条件下で特定の最適条件を構成する。保持フィン７の保持機能は、遠投スプール１上での釣り糸の正確な巻き取り及び巻き戻しや、遠投スプール上での釣り糸の横方向保持や、フィン縁部を介して釣り糸を放出方向ｚに正確に放出するのに必要なものである。
【００３１】
保持フィン７は、各保持フィン７の基端部８のところで、図１に示した円周接線と基端部８でのフィン縁部９の斜面とのなすフィン角度μで、巻き方向ｓの反対方向に伸びている。これに関連して、フィン角度μは、９０°よりも小さいことが好ましい。すなわち、フィン角度μが９０°以上の場合は、放出方向ｚに放出時、釣り糸（図示省略）が基端部に引っ掛かる又はくっつくおそれがあるからである。フィン角度μは、３０°〜６０°にする必要があり、好ましくは４０°〜５０°、特に好ましくは４５°である。本実施形態では、フィン角度μを、約５０°としている。
【００３２】
保持フィン７は、同じ曲面をもつ略三角形を示し、これらの曲面は、サメの背ビレに似た鎌状の先端部１１を形成するように収束している。この形状は、まっすぐな面をもつ三角形に比較し、基端部のところで低い摩擦面をもつ細長いものであり、また、自由端のところで十分な強度をもつ断面を示すので、有利と考えられる。先端部１１は、損傷のおそれがないように、丸みを帯びたデザインとしている。
【００３３】
図３、つまり図１のIII-III線に沿った断面に示されるように、フィン縁部９をもつ保持フィン７は、損傷のおそれを低減するため、研削面が丸みを帯び、また丸みを帯びたエッジを有するように、放出方向ｚに研削されている。本実施形態において、研削面の丸みは、実質的な楕円の丸みに限定されるものではなく、例えば、実質的な放物面、又は基部から先端部へ向けて曲率が小さくなる、異なる輪郭とすることもできる。
【００３４】
図２より明らかなように、特にスプール基部３の径は、保持フィン７に向かって直線的に減少している。これは、放出方向ｚに斜めの円周傾斜面を形成するので、遠投スプール１上に巻き取りられる釣り糸（図示省略）は、保持フィン７で端フランジ４に軽く押し付けられる。この結果、釣り糸を、より正確な放出方向ｚに、より容易に放出することができる。
【００３５】
図４には、第二実施形態にかかる遠投スプールの端面図が示されている。これに関連して、第二実施形態は、前記第一実施形態に比較し、以下の点で異なる。すなわち、第二実施形態は、保持フィン７又は保持フィン７の基端部８が、図１に基づく第一実施形態に比較し、特徴的なデザインを有する点、つまり保持フィン７又は保持フィン７の基端部８が、後端フランジ４の半径方向により深く達しており、後端フランジ４へ異なる移行を示す点で、前記第一実施形態と異なる。
【００３６】
図１にかかる第一実施形態においては、保持フィン７が、後端フランジ４から移行することなく現れている。この結果、エッジが、各保持フィン７の基端部８と後端フランジとの間に形成されている。これに対し、図４に示される第二実施形態においては、移行がなされており、釣り糸（図示省略）が、フィン縁部９を介して、少ないトラブル及び摩擦で放出されるように、エッジや段差等をなくしている。すなわち、移行は、半径方向内向きにカーブした輪郭を示しており、又は、凹の輪郭線を示しており、その一端が図１に基づき説明された凸のフィン縁部形状へと連続的に移行しており、その結果、略Ｓ字状のフィン縁部へと移行する。輪郭線の他端は、後端フランジ４が全体として鋸刃に類似の半径方向外向きの輪郭をもつように、フィン縁部９から見て外方を向く隣りの保持ウェブ７の側面へ、連続的にカーブした輪郭で移行する。
【００３７】
後端フランジの円周方向に連続した側壁によって、巻き取り可能な釣り糸の下層を、横方向に保持することができるように、保持フィンを後端フランジ４の非常に深いところまで達することなく構成することができることは言うまでもない。また、保持フィンは、後端フランジの下方まで放射状に達するように、スプール基部に設けることもできる。
【図面の簡単な説明】
【００３８】
【図１】図１は、第一実施形態にかかる遠投スプールの端面図である。
【図２】図２は、図１に示した遠投スプールの側面図である。
【図３】図３は、図１のIII-III線に沿って切断した保持フィンの断面図である。
【図４】図４は、第二実施形態にかかる遠投スプールの端面図である。
【符号の説明】
【００３９】
１    遠投スプール
２    スプール本体
３    スプール基部
４    後端フランジ
５    前端フランジ
６    スプール縁部
７    保持フィン
８    基端部
９    フィン縁部
１０  放出アーチ
１１  先端部
ａ    スプール軸
ｓ    巻取方向
ｚ    放出方向
μ    フィン角度
【図１】
2008518589.tif 000003
【図２】
2008518589.tif 000004
【図３】
2008518589.tif 000005
【図４】
2008518589.tif 000006
【国際調査報告】
2008518589.tif 000007
2008518589.tif 000008
2008518589.tif 000009
2008518589.tif 000010
2008518589.tif 000011
2008518589.tif 000012